(57)【要約】      （修正有）【課題】連続した複数の音声情報データから異常発生の場所や内容を容易に特定できると共に、音量つまみの戻し忘れ発生を防止した監視制御装置用音声出力方法およびその装置を提供する。【解決手段】過去に監視制御装置１が生成した音声情報データを記憶蓄積した音声情報過去データ記憶部６と、当該記憶部６に記録する音声情報記録手段７と、今回受信した音声情報データと比較し所定時間前に同種類の音声情報データがあると判定した場合に音量値を通常よりも小さく設定する音声情報比較手段８と、この音声情報比較手段８による音量値に基づいて音声情報データを音声出力する音声出力手段１０とを有し、音声情報比較手段８により第一報は通常の音量値で行い、それ以降の同種音声情報データについては音声情報比較手段８により連続作成された音声情報データの中から重要度の低い同種類の音声出力値を抑える。【選択図】図１
2006309428.tif 000002
【特許請求の範囲】
【請求項１】
監視制御装置から受信した音声情報データを音声出力する監視制御装置用音声出力方法
において、上記監視制御装置からの連続した一連の音声情報データを受信したとき、音声情報データの中で同種類の音声情報があるか否かを比較手段で比較し、同種類の音声情報であれば同種類と判定された音声情報の音量値を、それ以前のものに比べて小さな音量値で音声出力するようにしたことを特徴とする監視制御装置用音声出力方法。
【請求項２】
監視制御装置から受信した音声情報データを音声出力する監視制御装置用音声出力方法
において、上記監視制御装置からの連続した一連の音声情報データを受信したとき、その最初の音声情報データは通常の音量値で音声出力し、それ以降、最初の音声情報データと同種類であると判別した音声情報データは、少なくともその一部を通常の音量値よりも小さな音量値で音声出力するようにしたことを特徴とする監視制御装置用音声出力方法。
【請求項３】
監視制御装置から受信した音声情報データを通常の音量値で音声出力する監視制御装置用音声出力方法において、上記監視制御装置からの連続した一連の音声情報データを受信したとき、その最初の音声情報データは通常の音量値で音声出力し、それ以降、最初の音声情報データと同一であると判別した音声情報データは、その音声出力を抑制するようにしたことを特徴とする監視制御装置用音声出力方法。
【請求項４】
監視制御装置から受信した音声情報データを音声出力する監視制御装置用音声出力装置において、過去に上記監視制御装置が生成した音声情報データを記憶蓄積した音声情報過去データ記憶部と、上記監視制御装置が生成した音声情報データを受信して音声情報過去データ記憶部に記録する音声情報記録手段と、今回受信した音声情報データと比較して所定時間前に同種類の音声情報データがあると判定した場合にその音声情報データの少なくとも一部の音量値を通常値よりも小さく設定する音声情報比較手段と、この音声情報比較手段による音量値に基づいて音声情報データを出力する音声出力手段とを有して構成したことを特徴とする監視制御装置用音声出力装置。
【請求項５】
監視制御装置から受信した音声情報データを音声出力する監視制御装置用音声出力装置において、過去に上記監視制御装置が生成した音声情報データを記憶蓄積した音声情報過去データ記憶部と、上記監視制御装置が生成した音声情報データを受信して上記音声情報過去データ記憶部に記録する音声情報記録手段と、今回受信した音声情報データと比較して所定時間内の同一の音声情報データがあることを検出する音声情報比較手段と、この音声情報比較手段による検出があった場合にその音声情報データの音声出力を抑制する音声出力手段とを有して構成したことを特徴とする監視制御装置用音声出力装置。
【請求項６】
請求項３または請求項４のいずれか一方に記載のものにおいて、上記音声情報比較手段により決定した音量値を実際に保持していた制限時間を上記音声情報過去データ記憶部に書き込むと共に、この制限時間を考慮して設定時間を更新する制限時間調整手段を設け、上記音声出力手段は、上記音声情報比較手段による音量値と上記制限時間調整手段による制限時間に基づいて音声情報データを音声出力するように構成したことを特徴とする監視制御装置用音声出力装置。
【請求項７】
請求項３に記載のものにおいて、上記音声情報比較手段によって同種類の音声情報データと判定された場合、その音声情報データを構成する複数に区分されたフレーズ内に含まれた重要な語句を判定し、その重要な語句を含んだフレーズの音量値を通常の音量値に戻すフレーズ識別手段を設け、上記音声出力手段は、上記音声情報比較手段および上記フレーズ識別手段による出力音量値に基づいて音声情報データを音声出力するように構成したことを特徴とする監視制御装置用音声出力装置。
【発明の詳細な説明】
【技術分野】
【０００１】
本発明は、監視制御装置からの音声情報データに基づいて音声出力する監視制御装置用音声出力方法およびその装置に関する。
【背景技術】
【０００２】
従来の監視制御装置用音声出力装置は、監視制御装置がプラント設備の異常状態を検知すると、検知した異常に対応する音声情報データを一定の音量値で出力するようにしている。多くの場合、一つの異常要因に関連して複数の異常が発生するため、短時間に連続して同種類の音声情報データを音声出力することになる。このとき、監視制御装置によってプラントを監視している指令員は、音声情報データの出力によって異常の概略内容を把握し、監視制御装置の画面を操作して詳細情報確認を目視で行う必要がある。しかし、画面情報により詳細分析を行なっている指令員にとっては、目視確認中に連続して出力されてくる同種類の音声情報データには冗長な情報が多いため、音声情報データを不要と判断した場合、指令員が音声出力装置の音量調節つまみを直接操作して出力される音声情報データの音量値を制限していた。尚、一般的な音声出力装置として様々な状況によって音量値を制御することは知られている（例えば、特許文献１および特許文献２を参照）。
【特許文献１】特開平５−１７２６１９号公報
【特許文献２】特開平９−８１８７５号公報
【発明の開示】
【発明が解決しようとする課題】
【０００３】
しかしながら、従来の監視制御装置用音声出力装置は、全ての音声情報データを一定の音量値で音声出力してため、複数の音声情報データが連続して音声出力された場合、指令員がこれを聞き分けて異常発生場所や種類を特定するのが非常に困難である。また、指令員が音声出力装置の音量調整つまみを直接操作し音量制限を行った場合、続いて出力されるものの中で種類の異なる音声情報データを聞き逃したり、音量つまみの戻し忘れといったヒューマンエラーが発生する可能性がある。
【０００４】
本発明の目的は、連続した複数の音声情報データから異常発生の場所や内容を容易に特定可能にすることができると共に、音量つまみの戻し忘れといったヒューマンエラーの発生を防止した監視制御装置用音声出力方法およびその装置を提供することにある。
【課題を解決するための手段】
【０００５】
上記目標を達成するために本発明は、監視制御装置から受信した音声情報データを音声出力する監視制御装置用音声出力方法において、上記監視制御装置からの連続した一連の音声情報データを受信したとき、その最初の音声情報データは通常の音量値で音声出力し、それ以降、最初の音声情報データと同種類であると判別した音声情報データは、少なくともその一部を通常の音量値よりも小さな音量値で音声出力するようにしたことを特徴とする。
【０００６】
また請求項２に記載の本発明は、監視制御装置から受信した音声情報データを通常の音量値で音声出力する監視制御装置用音声出力方法において、上記監視制御装置からの連続した一連の音声情報データを受信したとき、その最初の音声情報データは通常の音量値で音声出力し、それ以降、最初の音声情報データと同一であると判別した音声情報データは、その音声出力を抑制するようにしたことを特徴とする。
【０００７】
さらに請求項３に記載の本発明は、監視制御装置から受信した音声情報データを音声出力する監視制御装置用音声出力装置において、過去に上記監視制御装置が生成した音声情報データを記憶蓄積した音声情報過去データ記憶部と、上記監視制御装置が生成した音声情報データを受信して音声情報過去データ記憶部に記録する音声情報記録手段と、今回受信した音声情報データと比較して所定時間前に同種類の音声情報データがあると判定した場合にその音声情報データの少なくともその一部の音量値を通常値よりも小さく設定する音声情報比較手段と、この音声情報比較手段による音量値に基づいて音声情報データを出力する音声出力手段とを有して構成したことを特徴とする。
【０００８】
さらに請求項４に記載の本発明は、監視制御装置から受信した音声情報データを音声出力する監視制御装置用音声出力装置において、過去に上記監視制御装置が生成した音声情報データを記憶蓄積した音声情報過去データ記憶部と、上記監視制御装置が生成した音声情報データを受信して上記音声情報過去データ記憶部に記録する音声情報記録手段と、今回受信した音声情報データと比較して所定時間内の同一の音声情報データがあることを検出する音声情報比較手段と、この音声情報比較手段による検出があった場合にその音声情報データの音声出力を抑制する音声出力手段とを有して構成したことを特徴とする。
【０００９】
さらに請求項５に記載の本発明は、請求項３または請求項４のいずれか一方に記載のものにおいて、上記音声情報比較手段により決定した音量値を実際に保持していた制限時間を上記音声情報過去データ記憶部に書き込むと共に、この制限時間を考慮して設定時間を更新する制限時間調整手段を設け、上記音声出力手段は、上記音声情報比較手段による音量値と上記制限時間調整手段による制限時間に基づいて音声情報データを音声出力するように構成したことを特徴とする。
【００１０】
さらに請求項６に記載の本発明は、請求項３に記載のものにおいて、上記音声情報比較手段によって同種類の音声情報データと判定された場合、その音声情報データを構成する複数に区分されたフレーズ内に含まれた重要な語句を判定し、その重要な語句を含んだフレーズの音量値を通常の音量値に戻すフレーズ識別手段を設け、上記音声出力手段は、上記音声情報比較手段および上記フレーズ識別手段による出力音量値に基づいて音声情報データを音声出力するように構成したことを特徴とする。
【発明の効果】
【００１１】
本発明による監視制御装置用音声出力装置は、最初の音声情報データに続く他の音声情報データのうち同種類の音声情報データを抽出し、その少なくとも一部を通常の音量値よりも小さくして音声出力するようにしたため、監視制御装置からの単発の音声情報データに対しても正しく音声出力手段に送信することができ、また連続して作成された音声情報データの中から重要度の低い同種類のものの音量値を抑えて、連続する音声出力を聞き分けて音声情報データから異常発生の場所や内容を容易に特定可能にすることができると共に、音量調整つまみを操作した場合とほぼ同様の効果を期待できるので、音量調整つまみを操作する必要がなく、その戻し忘れといったヒューマンエラーの発生を防止することができる。
【００１２】
請求項２に記載の本発明による監視制御装置用音声出力装置は、最初の音声情報データに続く他の音声情報データのうち同一の音声情報データを抽出し、この音声出力を抑制するようにしたため、監視制御装置からの単発の音声情報データに対しても正しく音声出力手段に送信することができ、また連続して作成された音声情報データの中から重要度の低い同一のものの音声出力を抑止または可能な範囲で小さくしたりすることができ、これによって連続する音声出力を聞き分けて音声情報データから異常発生の場所や内容を容易に特定可能にすることができると共に、音量調整つまみを操作した場合とほぼ同様の効果を期待できるので、音量調整つまみを操作する必要がなく、その音量つまみの戻し忘れといったヒューマンエラーの発生を防止することができる。
【００１３】
また請求項３に記載の本発明による監視制御装置用音声出力装置は、音声情報比較手段によって最初の音声情報データは通常の音量値で音声出力することができ、しかも、それ以降の同種類の音声情報データについては音声情報比較手段によって判別して、連続して作成された音声情報データの中から重要度の低い同種類のものの音声出力値を抑えることができるので、指令員が連続する音声出力を聞き分けて異常発生場所や種類を特定するのが非常に容易になり、また、音量調整つまみを操作した場合とほぼ同様の効果を期待できるので、音量調整つまみを操作する必要がなく、その音量つまみの戻し忘れといったヒューマンエラーの発生を防止することができる。
【００１４】
さらに請求項４に記載の本発明による監視制御装置用音声出力装置は、音声情報比較手段によって最初の音声情報データは通常の音量値で音声出力することができるが、それ以降の同一の音声情報データについては音声情報比較手段によって判別して、連続して作成された音声情報データの中から重要度の低い同一のものの音声出力値を抑止または十分制限することができるので、指令員が連続する音声出力を容易に聞き分けて異常発生場所や種類を特定するのが非常に容易になり、また、音量調整つまみを操作した場合とほぼ同様の効果を期待できるので、音量調整つまみを操作する必要がなく、その音量つまみの戻し忘れといったヒューマンエラーの発生を防止することができる。
【００１５】
さらに請求項５に記載の本発明による監視制御装置用音声出力装置は、新たな音声情報データの書き込みに関連して制限時間調整手段によって制限時間を更新するようにし、この更新された制限時間に基づいて音声出力手段により音声情報データを音声出力するようにしてため、音声情報過去データ記憶部内に十分な量のデータがなくても、徐々に最新の制限時間を用いて新たな設定時間に更新することができる。
【００１６】
さらに請求項６に記載の本発明による監視制御装置用音声出力装置は、音声情報比較手段によって連続して作成された音声情報データの中から重要度の低い同種類のものの音声出力値を抑え、またフレーズ識別手段によって重要な語句を含んだフレーズの音量値を通常の音量値に戻すことができるので、指令員が連続する音声出力を聞き分けて異常発生場所や種類を特定するのが非常に容易になる。
【発明を実施するための最良の形態】
【００１７】
以下、本発明の最良の実施の形態を図面に基づいて説明する。
図１は、本発明の一実施の形態による監視制御装置用音声出力装置の構成を示す概略図である。
監視制御装置１には、回線３を介して接続した複数のプラント４ａ〜４ｎと、各プラント４ａ〜４ｎにそれぞれ設けられた制御と監視の対象である被制御機器５ａ〜５ｎとが接続されている。監視制御装置１は、各被制御機器５ａ〜５ｎで発生した異常を検出した場合、この異常に対応する音声情報データを生成して音声出力装置２に出力し、これを受けた音声出力装置２は音声出力するようにしている。
【００１８】
この音声出力装置２は、過去に監視制御装置１が生成した音声情報データを記憶蓄積した音声情報過去データ記憶部６と、監視制御装置１が生成した音声情報データを受信して音声情報過去データ記憶部６に記録する音声情報記録手段７と、今回受信した音声情報データと比較して所定時間前に同種類の音声情報データがあると判定した場合にその音声情報データの音量値を通常よりも小さく設定する音声情報比較手段８と、この音声情報比較手段８により決定した音量値を実際の保持していた制限時間を音声情報過去データ記憶部６に書き込むと共に、この制限時間を考慮して設定時間を更新する制限時間調整手段９と、少なくとも音声情報比較手段８による音量値と、望ましくは制限時間調整手段９による制限時間を付加して音声情報データを音声出力する音声出力手段１０とを有して構成している。
【００１９】
図２は、上述した音声情報過去データ記憶部６を模式的に示す説明図である。
この音声情報過去データ記憶部６は、そのデータベース１１内に音声情報記憶部１２と、制限時間記憶部１３と、制限時間設定記憶部１４とを有している。この音声情報記憶部１２は、異常を検出したプラント１ａ〜１ｎを特定するプラント番号１５と、この特定したプラントの異常に関連した種別１６と、この特定したプラントの異常に関連した異常検出または回復などの区別を扱う内容１２ａと、その異常発生の時刻１２ｂとを格納保持している。また制限時間記憶部１３は、異常を検出したプラント１ａ〜１ｎを特定するプラント番号１５と、この特定したプラントの異常に関連した種別１６と、この種別１６に対して実際に出力音量を制限した制限時間１３ａと、その計測を行った計測日時１３ｂとを格納保持している。さらに制限時間設定記憶部１４は、異常を検出したプラント１ａ〜１ｎを特定するプラント番号１５と、この特定したプラントの異常に関連した種別１６と、制限時間記憶部１３における制限時間１３ａの実績値から最長制限時間を選出して設定した設定時間１４ａとを格納保持している。
【００２０】
同図において、音声情報記憶部１２、制限時間記憶部１３および制限時間設定記憶部１４は、異常を検出したプラント１ａ〜１ｎを特定するプラント番号１５と、この特定したプラントの異常に関連した種別１６と共通に管理しており、これら両者が一致する音声情報データを同種類の音声情報データと称し、これらにさらに内容１２ａを加えて一致する音声情報データを同一の音声情報データと称している。プラント番号１５が「１」で種別１６が「ＡＡ」の制限時間１３ａとしては内容１２ａの違いなどによって例えば「６００」秒と「１０００」秒などがある。図１に示した制限時間調整手段９は、実際に音声出力を制限した新たな音声情報データが音声情報過去データ記憶部６に格納される度に作動して制限時間記憶部１３の制限時間１３ａを記憶し、制限時間設定記憶部１４の設定時間１４ａを更新する。ここで制限時間調整手段９は、制限時間設定記憶部１４におけるプラント番号１５が「１」で種別１６が「ＡＡ」の設定時間１４ａとして、過去の音声情報データの中での最長時間「１０００」秒を設定しているものとする。
【００２１】
図３は、一つの異常要因に関連して短時間、例えば５分以内に連続して同種類の音声情報データが監視制御装置１から音声出力装置２に入力された場合の監視制御装置用音声出力装置の処理動作を示すフローチャートである。この場合の音声出力装置２は、同種類の音声情報データを判別して出力音量値を通常よりも小さく制限するようにしている。
【００２２】
先ず、監視制御装置１が検出した異常に対応する最初の音声情報データを音声出力装置２に送信すると、音声出力装置２の音声情報記録手段７はステップＳ１で音声情報データを受信する。音声情報比較手段８は、所定時間、例えば異常要因に関連して短時間に連続して作成される一連の音声情報データが作成される可能性のある経験的時間を予め設定しており、ステップＳ２で音声情報記録手段７で受信した音声情報データと同種類のものが、上述した所定時間前の音声情報データにあるか否かを判定する。このときの音声情報データが一連のものの最初である場合、所定時間内に同種類の音声情報データはないので、ステップＳ５で音声出力手段１０は音量値を通常値のままの設定として、ステップＳ６で音声情報記録手段７から受け取った最初の音声情報データを通常の音量値で音声出力する。その後、音声情報記録手段７は、ステップＳ７で最初の音声情報データを図２に示した音声情報過去データ記憶部６のデータベース１１内に格納する。例えば、最初の音声情報データはプラント番号１５が「１」で種別１６が「ＡＡ」であったとすると、音声情報記録手段７はこれを他の情報と共に音声情報記憶部１２に格納する。
【００２３】
その後、短時間に連続して作成された一連の二番目の音声情報データが監視制御装置１から音声出力装置２に送信されると、音声出力装置２の音声情報記録手段７はステップＳ１でこれを受信し、ステップＳ２で音声情報比較手段８は、上述した所定時間前の過去の音声情報データ内に二番目の音声情報データと同種類のものがあるか否かを判定する。ここで、二番目の音声情報データのプラント番号１５が「１」で種別１６が「ＡＡ」であったとすると、図２の音声情報記憶部１２には所定時間内の発生時刻１２ｂにプラント番号１５が「１」で種別１６が「ＡＡ」の最初の音声情報データが格納されているため、音声情報比較手段８は同種類の音声情報データがあると判定する。また音声情報比較手段８は、制限時間設定部１４の同種類の音声情報データに対応する設定時間１４ａの「１０００」秒を取り出して音声出力手段１０に送信する。
【００２４】
次いで音声情報比較手段８は、ステップＳ３で最初の音声情報データの音声出力からの経過時間が所定時間内か否かを判定する。これは図２に示した音声情報記憶部１２の発生時刻１２ｂと上述した所定時間を比較するもので、短時間に連続して作成された一連の二番目の音声情報データであるから最初の音声情報データの音声出力からの経過時間が所定時間内であると判定され、この結果を音声出力手段１０に送信する。
【００２５】
音声情報比較手段８からの両信号を受信した音声出力手段１０は、ステップＳ４で通常よりも小さく制限した音量値とし、この音量値を保持する設定時間を「１０００」秒とし、ステップＳ６で音声情報記録手段７が受信した音声情報データを音声出力する。その後、音声情報記憶部７はステップＳ７で二番目の音声情報データを音声情報記憶部１２に格納する。
【００２６】
このとき、図１に示した制限時間調整手段９は、図５に示したフローチャートに示すようにステップＳ８で制限時間記憶部１３に音量値を実際に制限した制限時間１３ａを他の情報と共に格納し、ステップＳ９で、新たに格納した音声情報データの制限時間１３ａを考慮して最長時間である新たな設定時間１４ａを算出する。その後、制限時間調整手段９は、音声情報過去データ記憶部６における制限時間設定記憶部１４の設定時間１４ａを新たに算出した設定時間として更新する。
【００２７】
上述したステップＳ２の判定で、音声情報比較手段８が所定時間前の過去の音声情報データに同種類のものがないと判定した場合は、音量制限しない音声情報データとし、ステップＳ５で音声出力手段１０は出力音量値を通常値のままの設定として、ステップＳ６で音声情報記録手段７から受け取った二番目の音声情報データを通常の音量値で音声出力する。その後、音声情報記録手段７は、ステップＳ７で二番目の音声情報データを図２に示した音声情報過去データ記憶部６の音声情報記憶部１２に格納する。
【００２８】
また上述したステップＳ３の判定で、最初の音声情報データの音声出力からの経過時間が所定時間外であると判定した場合は、短時間に連続して作成された一連の二番目の音声情報データではなく新たな音声情報データとし、同様にステップＳ５で音声出力手段１０は音量値を通常値のままの設定として、ステップＳ６で音声情報記録手段７から受け取ったこの音声情報データを通常の音量値で音声出力する。その後、音声情報記録手段７は、ステップＳ７でこの音声情報データを図２に示した音声情報過去データ記憶部６の音声情報記憶部１２に格納する。
【００２９】
その後の一連の音声情報データについても、図３に示したフローチャートに従って同様に処理する。
【００３０】
上述した監視制御装置用音声出力装置の処理動作からも分かるように、一つの異常要因に関連して短時間に連続して同種類の音声情報データを出力することになる場合、監視制御装置１から音声出力装置２に送信する音声情報データの数を制限することも考えられるが、本発明による監視制御装置用音声出力方法では、最初の音声情報データに続く他の音声情報データのうち同種類の音声情報データを抽出し、少なくともその一部を通常の音量値よりも小さくして音声出力するようにしたため、監視制御装置１からの単発の音声情報データに対しても正しく音声出力装置２に送信することができ、また連続して作成された音声情報データの中から重要度の低い同種類のものの音声出力値を抑えて、連続する音声出力を聞き分けて音声情報データから異常発生の場所や内容を容易に特定可能にすることができると共に、音量調整つまみを操作した場合とほぼ同様の効果を期待できるので、音量調整つまみを操作する必要がなく、その音量つまみの戻し忘れといったヒューマンエラーの発生を防止することができる。
【００３１】
また、上述した監視制御装置用音声出力方法を実施するための監視制御装置用音声出力装置は、過去に監視制御装置１が生成した音声情報データを記憶蓄積した音声情報過去データ記憶部６と、監視制御装置１が生成した音声情報データを受信して音声情報過去データ記憶部６に記録する音声情報記録手段７と、今回受信した音声情報データと比較して所定時間前に同種類の音声情報データがあると判定した場合にその音声情報データの音量値を通常値よりも小さく設定する音声情報比較手段８と、この音声情報比較手段８による出力音量値に基づいて音声情報データを音声出力する音声出力手段１０とを有して構成したため、音声情報比較手段８によって最初の音声情報データは通常の音声出力値で行うことができ、しかも、それ以降の同種類の音声情報データについては音声情報比較手段８によって判別して、連続して作成された音声情報データの中から重要度の低い同種類のものの音声出力値を抑えることができるので、指令員が連続する音声出力を聞き分けて異常発生場所や種類を特定するのが非常に容易になり、また、音量調整つまみを操作した場合とほぼ同様の効果を期待できるので、音量調整つまみを操作する必要がなく、その音量つまみの戻し忘れといったヒューマンエラーの発生を防止することができる。
【００３２】
また、本発明による監視制御装置用音声出力装置は、上述した構成に加えて音声情報比較手段８により決定した出力音量を実際の保持していた制限時間を音声情報過去データ記憶部６に書き込むと共に、この制限時間を考慮して設定時間を更新する制限時間調整手段９を設け、音声出力手段１０は、音声情報比較手段８による出力音量と制限時間調整手段９による制限時間に基づいて音声情報データを出力するように構成したため、音声情報過去データ記憶部６内に十分な量のデータがなくても、徐々に最新の制限時間を用いて新たな設定時間に更新することができる。言い換えると、音声情報過去データ記憶部６内に完全なデータが格納されているならば、制限時間設定記憶部１４によって設定時間１４ａをその都度更新しなくてもよい。
【００３３】
図４は、本発明の他の実施の形態による監視制御装置用音声出力装置の処理動作を示すフローチャートであり、この実施の形態における音声出力装置２は、連続して出力される音声情報データの中から同一の音声情報データのみを判別して抽出し、その出力を抑止または十分小さくしてするようにしたものである。先の実施の形態における処理と同等の処理については同一符号を付けて詳細な説明を省略する。
【００３４】
先ず、監視制御装置１が検出した異常に対応する最初の音声情報データを音声出力装置２に送信すると、音声出力装置２の音声情報記録手段７はステップＳ１で音声情報データを受信する。音声情報比較手段８は、所定時間、例えば異常要因に関連して短時間に連続して作成される一連の音声情報データが作成される可能性のある経験的時間を予め設定しており、ステップＳ１１で音声情報記録手段７で受信したものと同一の音声情報データが、上述した所定時間内の音声情報データにあるか否かを判定する。このときの音声情報データが一連のものの最初である場合、所定時間内に同種類の音声情報データはないので、ステップＳ５で音声出力手段１０は出力音量を通常値のままの設定として、ステップＳ６で音声情報記録手段７から受け取った最初の音声情報データを通常の音量値で音声出力する。その後、音声情報記録手段７は、ステップＳ７で先の実施の形態の場合と同様に最初の音声情報データを図２に示した音声情報過去データ記憶部６の音声情報記憶部１２に他の情報と共に格納する。
【００３５】
その後、短時間に連続して作成された一連の二番目の音声情報データが監視制御装置１から音声出力装置２に送信されると、音声出力装置２の音声情報記録手段７はステップＳ１でこれを受信し、ステップＳ１１で音声情報比較手段８は、上述した所定時間前の音声情報データ内に二番目のものと同一の音声情報データがあるか否かを判定する。ここで、音声情報記憶部１２に格納した最初の音声情報データが二番目の音声情報データと同一であった場合、音声情報比較手段８は同一の音声情報データがあると判定する。また音声情報比較手段８は、制限時間設定部１４の同一の音声情報データに対応する設定時間１４ａの「１０００」秒を取り出して音声出力手段１０に送信する。
【００３６】
次いで音声情報比較手段８は、ステップＳ３で最初の音声情報データの音声出力からの経過時間が所定時間内か否かを判定する。これは図２に示した音声情報記憶部１２の発生時刻１２ｂと上述した所定時間を比較するもので、短時間に連続して作成された一連の二番目の音声情報データであるから最初の音声情報データの音声出力からの経過時間が所定時間内であると判定され、この結果を音声出力手段１０に送信する。
【００３７】
音声情報比較手段８からの両信号を受信した音声出力手段１０は、ステップＳ１２で音声出力を抑止または十分小さくし、この音量抑制時間として設定時間を「１０００」秒を使用する。この抑制は、音声情報記録手段７が受信した音声情報データを音声出力手段１０に出力しないようにしたり、音量値を零付近としたりして行う。その後、図１に示した音声情報記憶部７はステップＳ７で二番目の音声情報データを音声情報記憶部１２に格納し、図１に示した制限時間調整手段９は、先の実施の形態の場合と同様に制限時間記憶部１３に音量値を実際に制限した制限時間１３ａを他の情報と共に格納し、新たに格納した音声情報データの制限時間１３ａを考慮して最長時間である新たな設定時間１４ａを算出し、その後、音声情報過去データ記憶部６における制限時間設定記憶部１４の設定時間１４ａを新たに算出した設定時間として更新する。
【００３８】
上述したステップＳ１１の判定で、音声情報比較手段８が所定時間前の過去の音声情報データに同一のものがないと判定した場合は、先の実施の形態と同様にステップＳ５で音声出力手段１０は出力音量値を通常のままの設定として、ステップＳ６で音声情報記録手段７から受け取った二番目の音声情報データを通常の音量値で音声出力する。その後、音声情報記録手段７は、ステップＳ７で二番目の音声情報データを図２に示した音声情報過去データ記憶部６の音声情報記憶部１２に格納する。
【００３９】
また上述したステップＳ３の判定で、最初の音声情報データの音声出力からの経過時間が所定時間外であると判定した場合は、先の実施の形態の場合と同様に短時間に連続して作成された一連の二番目の音声情報データではなく新たな音声情報データとし、ステップＳ５で音声出力手段１０は出力音量値を通常のままの設定として、ステップＳ６で音声情報記録手段７から受け取ったこの音声情報データを通常の音量値で音声出力する。その後、音声情報記録手段７は、ステップＳ７でこの音声情報データを図２に示した音声情報過去データ記憶部６の音声情報記憶部１２に格納する。
【００４０】
この実施の形態による本発明の監視制御装置用音声出力方法では、最初の音声情報データに続く他の音声情報データのうち同一の音声情報データを抽出し、この音声出力を抑止または十分小さくするようにしたため、監視制御装置１からの単発の音声情報データに対しても正しく音声出力装置２に送信することができ、また連続して作成された音声情報データの中から重要度の低い同一のものの音声出力値を除いて、連続する音声出力を聞き分けて音声情報データから異常発生の場所や内容を容易に特定可能にすることができると共に、音量調整つまみを操作した場合とほぼ同様の効果を期待できるので、音量調整つまみを操作する必要がなく、その音量つまみの戻し忘れといったヒューマンエラーの発生を防止することができる。
【００４１】
また、上述した監視制御装置用音声出力方法を実施するための監視制御装置用音声出力装置は、過去に監視制御装置１が生成した音声情報データを記憶蓄積した音声情報過去データ記憶部６と、監視制御装置１が生成した音声情報データを受信して音声情報過去データ記憶部６に記録する音声情報記録手段７と、今回受信した音声情報データと比較して所定時間前に同一の音声情報データがあることを検出する音声情報比較手段８と、この音声情報比較手段８による検出があった場合にその音声情報データの音声出力を抑制する音声出力手段１０とを有して構成したため、音声情報比較手段８によって第一報は通常の音声出力値で行うことができるが、それ以降の同一の音声情報データについては音声情報比較手段８によって判別して、連続して作成された音声情報データの中から重要度の低い同一のものの音量を抑止することができるので、指令員が連続する他の音声出力を容易に聞き分けて異常発生場所や種類を特定するのが非常に容易になる。
【００４２】
また、この監視制御装置用音声出力装置でも、上述した構成に加えて音声情報比較手段８により決定した出力音量を実際の保持していた制限時間を音声情報過去データ記憶部６に書き込むと共に、この制限時間を考慮して設定時間を更新する制限時間調整手段９を設け、音声出力手段１０は、音声情報比較手段８による出力音量と制限時間調整手段９による制限時間に基づいて音声情報データを音声出力するように構成したため、音声情報過去データ記憶部６内に十分な量のデータがなくても、徐々に最新の制限時間を用いて新たな設定時間に更新することができる。
【００４３】
図６は、本発明のさらに他の実施の形態による監視制御装置用音声出力装置の処理動作を示すフローチャートであり、上述した図３および図４に示した処理動作を同時に行うようにしたものである。
音声出力装置２の音声情報記録手段７は、ステップＳ１で監視制御装置１からの最初の音声情報データを受信する。音声情報比較手段８は、所定時間、例えば異常要因に関連して短時間に連続して作成される一連の音声情報データが作成される可能性のある経験的時間を予め設定しており、ステップＳ１３で音声情報記憶部１２内の発生時間１２ｂを参照して上述した所定時間内に発生した音声情報データがあるか否かを判定する。一連の最初の音声情報データであれば該当する音声情報データがないのでステップＳ５に進み、音声出力手段１０は出力音量を通常値のままの設定として、ステップＳ６で音声情報記録手段７から受け取った最初の音声情報データを通常の音量値で音声出力する。
【００４４】
その後、短時間に連続して作成された一連の二番目の音声情報データが監視制御装置１から音声出力装置２に送信されると、音声出力装置２の音声情報記録手段７はステップＳ１でこれを受信し、ステップＳ１３で音声情報記憶部１２内の発生時間１２ｂを参照して上述した所定時間内に発生した音声情報データがあるか否かを判定する。ここでは一連の二番目の音声情報データであるため、所定時間内に発生した音声情報データがあると判定し、続くステップＳ１４で音声情報比較手段８は、上述した所定時間内の音声情報データが同種類の音声情報データであるか否かを判定する。同種類の音声情報データでなければステップＳ５に進み、音声出力手段１０は出力音量値を通常のままの設定として、ステップＳ６で音声情報記録手段７から受け取った二番目の音声情報データを通常の音量値で音声出力する。しかし、ここで、二番目の音声情報データが最初の音声情報データのプラント番号１５および種別１６とが一致する同種類の音声情報データであると判定すると、ステップＳ１５ではさらに内容１２ａも含めて一致する同一の音声情報データであるか否かを判定する。
【００４５】
このステップＳ１５で同一の音声情報データでないと判定した場合、二番目の音声情報データは最初のものと同種類の音声情報データであるから、音声情報比較手段８は、ステップＳ４で制限時間設定部１４の同種類の音声情報データに対応する設定時間１４ａの「１０００」秒を取り出して音声出力手段１０に送信すると共に、通常の音量値よりも小さく制限した音量値として音声出力手段１０に送信する。これを受信した音声出力手段１０は、通常の音量値よりも小さく制限した音量値とし、この音量値を保持する設定時間を「１０００」秒とし、ステップＳ６で音声情報記録手段７が受信した音声情報データを音声出力する。
【００４６】
一方、ステップＳ１５で同一の音声情報データであると判定した場合、ステップＳ１２で音声出力を抑止または十分小さくし、この音量抑制時間として設定時間「１０００」秒を使用する。この抑制は、音声情報記録手段７が受信した音声情報データを音声出力手段１０に出力しないようにしたり、音量値を零付近としたりして行う。その後の処理動作は、先の実施の形態の場合と同様であり、同等の処理には同一符号を付けて説明を省略する。
【００４７】
この実施の形態による本発明の監視制御装置用音声出力装置は、ステップＳ４の音量を小さくした音声状態と、ステップＳ５の通常の音量の音声状態と、ステップＳ１２の音量をほぼ無くした状態を得ることができるので、連続して受信した音声情報データがあった場合でも、二回目以降の音声情報データが同種類の場合は音量値を制限し、また同一の場合は音量を抑止または十分小さくして、決めの細かな音声制御を行うことができる。
【００４８】
図７は、本発明のさらに他の実施の形態による監視制御装置用音声出力装置の処理動作を示すフローチャートである。図３に示した実施の形態では同種類の音声情報データであれば、その音声情報データ内の全てのフレーズについて同じ音量値に制限したが、この実施の形態では図３のステップＳ３とステップＳ４の間に挿入して使用され、一つの音声情報データを複数のフレーズに区分して、それぞれのフレーズ毎に望ましい音量として制御するようにしたものである。なお、先の実施の形態との同等物には同一符号を付けて詳細な説明を省略する。
【００４９】
ステップＳ３で、二回目の音声情報データが最初の音声情報データと同種類で、しかも所定時間内に受信したものであった場合、図１に示した音声出力装置２内に新たに追加したフレーズ識別手段は、ステップＳ１６でその二回目の音声情報データ内を検索してフレーズ毎に識別する。その後、このフレーズ識別手段は、ステップＳ１７で複数に区分されたフレーズに重要な語句が含まれているかどうかを判定し、その結果、重要な語句が含まれていると判定した場合、ステップＳ１８でその重要な語句を含んだフレーズの音量値を通常の音量値にし、それ以外のフレーズについては音声情報比較手段８によりステップＳ４で通常よりも小さく制限した音量値とする。ステップＳ１７で重要な語句が含まれていないと判定した場合は、ステップＳ４に進んで音声情報データ全体を通常よりも小さく制限した音量値とする。
【００５０】
上述したステップＳ１６からステップＳ１８の工程は、図６に示したステップＳ１５とステップＳ４の間に挿入しても同様の効果を期待することができる。
【００５１】
このような監視制御装置用音声出力方法によれば、最初の音声情報データに続く他の音声情報データのうち同種類の音声情報データを抽出し、その内の重要な語句を含むフレーズの音声出力を通常値とするようにし、また、その内のその他のフレーズについては音声出力を通常値よりも小さく制限したため、図３に示した実施の形態の場合は、同種類の音声情報データの全てを同一音量値とするのに対して、連続して作成された音声情報データの中から重要度の低い同種類のものの音声出力値を制限し、しかも、その内の重要語句については通常の音声出力値とすることができる。従って、同種類の音声情報データの少なくとも一部を通常よりも小さな音量値とすることになり、連続する音声出力を聞き分けて音声情報データから異常発生の場所や内容を容易に特定可能にすることができると共に、音量つまみの戻し忘れといったヒューマンエラーの発生を防止することができる。
【００５２】
また、上述した監視制御装置用音声出力装置は、過去に監視制御装置１が生成した音声情報データを記憶蓄積した音声情報過去データ記憶部６と、監視制御装置１が生成した音声情報データを受信して音声情報過去データ記憶部６に記録する音声情報記録手段７と、今回受信した音声情報データと比較して所定時間前に同種類の音声情報データがあると判定した場合にその音声情報データの音量値を通常値よりも小さく設定する音声情報比較手段８と、複数に区分されたフレーズ内に重要な語句が含まれていると判定した場合にその重要な語句を含んだフレーズの音量値を通常の音量値にするフレーズ識別手段と、この音声情報比較手段８およびフレーズ識別手段による出力音量値に基づいて音声情報データを出力する音声出力手段１０とを有して構成したため、音声情報比較手段８によって連続して作成された音声情報データの中から重要度の低い同種類のものの音声出力値を抑え、またフレーズ識別手段によって重要な語句を含んだフレーズについては通常の音量値とすることができるので、指令員が連続する音声出力を聞き分けて異常発生場所や種類を特定するのが非常に容易になり、また、音量つまみの戻し忘れといったヒューマンエラーの発生を防止することができる。
【産業上の利用可能性】
【００５３】
本発明による監視制御装置用音声出力装置は、図示の構成に限らず、その他の構成の監視制御装置用音声出力装置にも適用することができる。
【図面の簡単な説明】
【００５４】
【図１】本発明の監視制御装置用音声出力装置の概略構成を示すブロック構成図である。
【図２】図１に示した監視制御装置用音声出力装置の音声情報過去データ記憶部を模式的に示す説明図である。
【図３】図１に示した監視制御装置用音声出力装置の処理動作を示すフローチャートである。
【図４】本発明の他の実施の形態による監視制御装置用音声出力装置の処理動作を示すフローチャートである。
【図５】図１に示した監視制御装置用音声出力装置における制限時間調整手段の処理動作を示すフローチャートである。
【図６】本発明のさらに他の実施の形態による監視制御装置用音声出力装置の処理動作を示すフローチャートである。
【図７】本発明のさらに他の実施の形態による監視制御装置用音声出力装置の処理動作を示すフローチャートである。
【符号の説明】
【００５５】
１    監視制御装置
２    音声出力装置
６    音声情報過去データ記憶部
７    音声情報記録手段
８    音声情報比較手段
９    制限時間調整手段
１０    音声出力手段
【図１】
2006309428.tif 000003
【図２】
2006309428.tif 000004
【図３】
2006309428.tif 000005
【図４】
2006309428.tif 000006
【図５】
2006309428.tif 000007
【図６】
2006309428.tif 000008
【図７】
2006309428.tif 000009